(57)【要約】  【課題】３線で分電盤に引き込まれ、そのうち２線の線対で屋内配線されている電力線を介して円滑な電力線搬送通信を実現する電力線搬送通信用ネットワーク機器を提供する。  【解決手段】通信制御部２１のＬＡＮ側端子２１Ａにトランスの一次側捲線を接続し、二次側捲線の両端の端子Ｐ１，Ｐ２および中間タップＰ３を、それぞれ単相３線電力線の電圧側電線Ｌ１，Ｌ２および接地側電線Ｎにそれぞれコンデンサを介して接続する。これにより、通信制御部２１から出力される信号が３組の線対Ｌ１−Ｌ２，Ｌ１−Ｎ，Ｌ２−Ｎのそれぞれに伝達される。【選択図】図１
2008245202.tif 000002
【特許請求の範囲】
【請求項１】
中間タップを有し単相３線電力線に接続される二次側捲線と、通信機能を備えた機器に接続される一次側捲線と、を有する高周波トランスと、を備え、
前記二次側捲線の両端の端子および中間タップを、それぞれ前記単相３線電力線の電圧側電線Ｌ１，Ｌ２および接地側電線Ｎに接続し、これら３つの接続のうち少なくとも２つの接続がコンデンサを介して行われていることを特徴とする電力線搬送通信用ブリッジ回路。
【請求項２】
中間タップを有し３相交流電力線に接続される二次側捲線と、通信機能を備えた機器に接続される一次側捲線と、を有する高周波トランスと、を備え、
前記二次側捲線の両端の端子および中間タップを、それぞれ前記３相交流の各電力線に接続し、これら３つの接続のうち少なくとも２つの接続がコンデンサを介して行われていることを特徴とする電力線搬送通信用ブリッジ回路。
【請求項３】
単相３線電力線に接続される第１の二次側捲線および第２の二次側捲線と、通信機能を備えた機器に接続される一次側捲線と、を有する高周波トランスと、
前記第１の二次側捲線の両方の端子を、第２の二次側捲線の一方の端子および電力線接続部にストレート／クロスに切り換え接続する切換スイッチと、
を備え、
前記電力線接続部および前記第２の二次側捲線の他方の端子を、それぞれ前記単相３線電力線の電圧側電線Ｌ１，Ｌ２いずれか一方ずつに接続するとともに、前記第２の二次側捲線の一方の端子を前記単相３線電力線の接地側電線Ｎに接続し、これら３つの接続のうち少なくとも２つの接続がコンデンサを介して行われていることを特徴とする電力線搬送通信用ブリッジ回路。
【請求項４】
中間タップを有し単相３線電力線に接続される二次側捲線と、通信機能を備えた機器に接続される一次側捲線と、を有する高周波トランスと、
前記二次側捲線の両端の端子に接続される第１選択接点、第２選択接点、および、これら第１選択接点、第２選択接点のいずれかに切換接続されるコモン接点を有する切換スイッチと、
を備え、
前記二次側捲線のいずれか一端の端子および前記切換スイッチのコモン接点を、それぞれ前記単相３線電力線の電圧側電線Ｌ１，Ｌ２いずれか一方ずつに接続するとともに、前記中間タップを前記単相３線電力線の接地側電線Ｎに接続し、これら３つの接続のうち少なくとも２つの接続がコンデンサを介して行われていることを特徴とする電力線搬送通信用ブリッジ回路。
【請求項５】
請求項１乃至請求項４のいずれかに記載の電力線搬送通信用ブリッジ回路と、
第１のネットワーク端子と第２のネットワーク端子を有し、第１のネットワーク端子から入力された信号を第２のネットワーク端子に転送するとともに、第２のネットワーク端子から入力された信号を第１のネットワーク端子に転送する通信制御部と、
を備え、
前記通信制御部の第１のネットワーク端子を前記電力線搬送通信用ブリッジ回路の一次捲線に接続したことを特徴とする電力線搬送通信用ネットワーク機器。
【発明の詳細な説明】
【技術分野】
【０００１】
この発明は、分電盤を経由した電力線搬送通信（ＰＬＣ:Power Line Communication)を円滑に行うための電力線搬送通信用ブリッジ回路およびこのブリッジ回路を用いた電力線搬送通信用ネットワーク機器に関する。
【背景技術】
【０００２】
今日、全国に張りめぐらされた電力配線を利用してデジタル通信を行うＰＬＣ（電力線搬送通信）が実用化されようとしている。ＰＬＣは、主として、高圧送電線を用いた遠距離通信よりも、屋内配線を用いた屋内ネットワークに適用される（非特許文献１）。
【０００３】
ところで、近年一般家庭においても、幹線から屋内へは、単相３線で引き込まれている。図４は、単相３線で引き込まれた電力線の分電盤の例である。Ｌ１，Ｌ２，Ｎの３線がサービスブレーカ１００を介して分電盤内に配線され、３組の線対Ｌ１−Ｌ２、Ｌ１−Ｎ、Ｌ２−Ｎのそれぞれから、２００Ｖまたは１００Ｖの電力が取り出されている。通常の屋内配線は１００Ｖで行い、エアコン、ＩＨ調理器具、深夜電力給湯器等の機器には２００Ｖを供給する。
【０００４】
なお、従来の１００〜４５０ｋＨｚの信号を用いた電力線搬送通信において、３線の電力線間で高周波信号をブリッジする技術として特許文献１の技術がある。
【０００５】
【非特許文献１】“報告書”、［online］、平成１７年１２月、高速電力線搬送通信に関する研究会、［平成１９年２月２３日検索］、インターネット＜URL：http://www.soumu.go.jp/s-news/2005/pdf/051226_6_bt2.pdf＞
【特許文献１】特許第２６２９１３１号公報
【発明の開示】
【発明が解決しようとする課題】
【０００６】
ＰＬＣは、屋内配線の末端に接続された電気機器が高周波デジタル信号を送受信するものであるため、上記３組の線対のうちいずれかの線対に乗って伝送される。このため、いずれかの線対に乗せられた信号は、他の線対に接続されている電気機器には伝達しないという問題点がある。すなわち、線対Ｌ１−Ｎに接続された機器から送出されたＰＬＣ信号は、線対Ｌ２−Ｎまたは線対Ｌ１−Ｌ２に接続された電気機器には伝達せず、線対Ｌ２−Ｎに接続された機器から送出されたＰＬＣ信号は、線対Ｌ１−Ｎまたは線対Ｌ１−Ｌ２に接続された電気機器には伝達しない。また、線対Ｌ１−Ｌ２に接続された機器から送出されたＰＬＣ信号は、線対Ｌ１−Ｎまたは線対Ｌ２−Ｎに接続された電気機器には伝達しない。
【０００７】
また、ＰＬＣ信号の目的の一つとして、屋内電力線の配線をＬＡＮとして用い、このＬＡＮにインターネット等のＷＡＮを接続することがあるが、屋内配線が上記のように単相３線の場合、ＷＡＮをいずれかの線対のみに接続しただけでは、他の線対に接続されている電気機器をＷＡＮに接続することができないという問題点があった。
【０００８】
また、１００Ｖ機器間のＰＬＣ通信を確保するため、すなわち、線対Ｌ１−Ｎと線対Ｌ２−Ｎ間の通信を確保するため、Ｌ１−Ｌ２間にバイパスコンデンサを接続する場合がある。さらに、単相３線式の２００Ｖ機器は、エアコンやＩＨヒータ等モータや高周波を使用する機器が多いため、高周波ノイズを外部に放出しないように、プラグにつながる電力コードの根元にコンデンサを接続し、高周波信号（ノイズ）をバイパスしている機器が多い。このような配線に、上記特許文献１のようなブリッジを接続すると、Ｌ１−Ｌ２間のみならずＬ１−Ｎ，Ｌ２−Ｎの線対も同様に高周波的に短絡してしまい、屋内配線全体でＰＬＣによる通信が不可能になってしまうという問題点があった。
【０００９】
この発明は、３線で分電盤に引き込まれ、そのうち２線の線対で屋内配線されている電力線を介して円滑な電力線搬送通信を実現する電力線搬送通信用ブリッジ回路および電力線搬送通信用ネットワーク機器を提供することを目的とする。
【課題を解決するための手段】
【００１０】
請求項１の発明は、中間タップを有し単相３線電力線に接続される二次側捲線と、通信機能を備えた機器に接続される一次側捲線と、を有する高周波トランスと、を備え、
前記二次側捲線の両端の端子および中間タップを、それぞれ前記単相３線電力線の電圧側電線Ｌ１，Ｌ２および接地側電線Ｎに接続し、これら３つの接続のうち少なくとも２つの接続がコンデンサを介して行われていることを特徴とする。
【００１１】
請求項２の発明は、中間タップを有し３相交流電力線に接続される二次側捲線と、通信機能を備えた機器に接続される一次側捲線と、を有する高周波トランスと、を備え、
前記二次側捲線の両端の端子および中間タップを、それぞれ前記３相交流の各電力線に接続し、これら３つの接続のうち少なくとも２つの接続がコンデンサを介して行われていることを特徴とする。
【００１２】
請求項３の発明は、単相３線電力線に接続される第１の二次側捲線および第２の二次側捲線と、通信機能を備えた機器に接続される一次側捲線と、を有する高周波トランスと、前記第１の二次側捲線の両方の端子を、前記第２の二次側捲線の一方の端子および電力線接続部にストレート／クロスに切り換え接続する切換スイッチと、を備え、前記電力線接続部および前記第２の二次側捲線の他方の端子を、それぞれ前記単相３線電力線の電圧側電線Ｌ１，Ｌ２いずれか一方ずつに接続するとともに、前記第２の二次側捲線の一方の端子を前記単相３線電力線の接地側電線Ｎに接続し、これら３つの接続のうち少なくとも２つの接続がコンデンサを介して行われていることを特徴とする。
【００１３】
請求項４の発明は、中間タップを有し単相３線電力線に接続される二次側捲線と、通信機能を備えた機器に接続される一次側捲線と、を有する高周波トランスと、前記二次側捲線の両端の端子に接続される第１選択接点、第２選択接点、および、これら第１選択接点、第２選択接点のいずれかに切換接続されるコモン接点を有する切換スイッチと、を備え、前記二次側捲線のいずれか一端の端子および前記切換スイッチのコモン接点を、それぞれ前記単相３線電力線の電圧側電線Ｌ１，Ｌ２いずれか一方ずつに接続するとともに、前記中間タップを接地側電線Ｎに接続し、これら３つの接続のうち少なくとも２つの接続がコンデンサを介して行われていることを特徴とする。
【００１４】
請求項５の発明は、請求項１乃至請求項４のいずれかに記載の電力線搬送通信用ブリッジ回路と、第１のネットワーク端子と第２のネットワーク端子を有し、第１のネットワーク端子から入力された信号を第２のネットワーク端子に転送するとともに、第２のネットワーク端子から入力された信号を第１のネットワーク端子に転送する通信制御部と、を備え、前記通信制御部の第１のネットワーク端子を前記電力線搬送通信用ブリッジ回路の一次捲線に接続したことを特徴とする。
【発明の効果】
【００１５】
この発明によれば、一次側捲線に入力された信号が、二次側捲線を介して、３線式（単相３線、３相交流）電力線の３組の線対の全てに送出され、且つ、前記３線式電力線の３組の線対のそれぞれから入力された信号が、全て、二次側捲線を介して一次側捲線から出力されるため、一次側捲線に接続された機器と前記３線式電力線の３組全ての線対に接続されている機器との通信が可能になる。また、この発明では、二次側捲線を介して、前記３線式電力線の１組の線対から入力された信号が、他の２組の線対に伝搬するため、３線式電力線の３組の線対相互間の通信も可能になる。
【００１６】
また、この発明によれば、単相３線のＬ１，Ｌ２間が高周波的に短絡されている場合でも、切換スイッチを切り換えることにより二次側捲線の短絡を回避することができるため、一時側捲線に接続された機器と、線対Ｌ１−Ｎ，線対Ｌ２−Ｎ上に接続された機器との通信は確保することができる。
【発明を実施するための最良の形態】
【００１７】
図面を参照して、この発明の実施形態であるＰＬＣ（電力線搬送通信）用のネットワーク機器について説明する。このＰＬＣネットワーク機器は、電力幹線から単相３線で引き込まれた屋内電力線の３組の線対の配線を同等にインターネット等のＷＡＮに接続するためのものである。
【００１８】
図１は、この発明の実施形態であるＰＬＣネットワーク機器が組み込まれた分電盤の構成を示す図である。この分電盤１には、電柱等の電力幹線から単相３線の電力線が引き込まれている。この単相３線の電力線は、３線ブレーカであるサービスブレーカ（契約電流制限器）１０を介して、分電盤内に電圧側電線Ｌ１，Ｌ２および接地側電線Ｎとして引き出されている。この３つの電力線から３組の線対の組み合わせで２００Ｖまたは１００Ｖの電圧の電力が取り出される。すなわち、１００Ｖの電力を取り出す線対Ｌ１−Ｎ、線対Ｌ２−Ｎ、および、２００Ｖの電力を取り出す線対Ｌ１−Ｌ２の３種類の線対の組み合わせがある。
【００１９】
２線ブレーカである安全ブレーカ（配線用遮断器）１１は、線対Ｌ１−Ｌ２の接続形態で２００Ｖの電力を取り出している。また、安全ブレーカ１２は、線対Ｌ１−Ｎの接続形態で１００Ｖの電力を取り出している。また、安全ブレーカ１３は、線対Ｌ２−Ｎの接続形態で１００Ｖの電力を取り出している。線対Ｌ１−Ｎに対する配線負荷と線対Ｌ２−Ｎに対する配線負荷は、それぞれが近似するように（接地線Ｎに流れる電流ができるだけ少なくなるように）適当に分配される。２００Ｖの電力を取り出している安全ブレーカ１１は、たとえばエアコン等の２００Ｖ機器用のコンセントに接続される。１００Ｖの電力を取り出している安全ブレーカ１２，１３は、一般の電気機器用のコンセントや電灯等に接続される。
【００２０】
各ブレーカ１１〜１３の配線先に接続された機器からＰＬＣ信号が送信され、分電盤では、Ｌ１−Ｎ，Ｌ２−Ｎ，Ｌ１−Ｌ２の３種類の線対にＰＬＣ信号が現れる。これら全ての機器のＰＬＣ信号を受信してＷＡＮに接続するためには、各線対ごとにネットワーク機器を接続しなければならない。
【００２１】
また逆に、各ブレーカ１１〜１３の配線先に接続された機器においてＰＬＣ信号の受信を待機している。分電盤では、Ｌ１−Ｎ，Ｌ２−Ｎ，Ｌ１−Ｌ２の３種類の線対にＰＬＣ信号が現れる。これら全ての機器に対してＰＬＣ信号を送信するためには、各線対ごとにネットワーク機器を接続しなければならい。
【００２２】
そこで、図１のＰＬＣネットワーク機器２０は、３本の電力線に信号線を接続し、３組全ての線対に対してＷＡＮからの信号を乗せられるように、また、３組全ての線対から到来した信号を受信できるようにしている。ネットワーク機器２０は、ＬＡＮ側端子２１Ａ（第１のネットワーク端子）、ＷＡＮ側端子２１Ｂ（第２のネットワーク端子）を有し、インターネットと電力線搬送通信で構成されるＬＡＮとの通信を中継する通信制御部２１と、３組の線対に対してインターネットの信号を送信し、３組の線対から送られてきた信号を受信する接続部２２（ブリッジ回路）を有している。
【００２３】
接続部２２は、高周波トランスＴＲを有している。高周波トランスＴＲは、例えばフェライトのトロイダルコアに巻かれた一次捲線Ｔ１と二次捲線Ｔ２を有し、二次捲線は両端の端子Ｐ１，Ｐ２とともに、中間タップＰ３を有している。この中間タップは、二次捲線を完全に二等分した位置に設けられていなくてもよい。二次捲線の一方の端子Ｐ１はコンデンサＣ１を介して電圧側電線Ｌ１に接続されている。二次捲線の他方の端子Ｐ２は、コンデンサＣ２を介して電圧側電線Ｌ２に接続されている。また、中間タップＰ３は、コンデンサＣ３を介して接地側電線Ｎに接続されている。なお、コンデンサＣ１，Ｃ２，Ｃ３は、少なくとも２つあればよく、いずれか１つを省略することが可能である。省略する場合、一般的には、接地側電線に接続されるＣ３を省略する。
【００２４】
ＰＬＣ（電力線搬送通信）信号は、例えば２〜３０ＭＨｚの周波数を有する信号であり、電源周波数は、日本国内では５０Ｈｚまたは６０Ｈｚである。コンデンサＣ１，Ｃ２，Ｃ３は、この電源周波数の電流を遮断し、ＰＬＣの信号を通過させるような静電容量とする。
【００２５】
通信制御部２１は、ＬＡＮ側端子２１Ａを介して前記接続部２２に接続されているとともに、ＷＡＮ側端子２１Ｂを介してインターネットに接続されている。通信制御部２１は、インターネットから下り信号を受信して、その信号を接続部２２に供給するとともに、接続部２２から上り信号を受信して、その信号をインターネットに転送する。
【００２６】
通信制御部２１がＷＡＮ側端子２１Ｂを介してインターネットから受信した信号は、ＬＡＮ側端子２１Ａを介して高周波トランスＴＲの一次捲線Ｔ１に供給される。高周波トランスＴＲの二次捲線Ｔ２の端子Ｐ１−Ｐ２，Ｐ１−Ｐ３，Ｐ２−Ｐ３には、電磁誘導により、それぞれその捲線数に応じた電位でインターネットから受信した信号が現れ、前記線対Ｌ１−Ｌ２，Ｌ１−Ｎ，Ｌ２−Ｎにそれぞれ印加される。これにより、上記ブレーカ１１，１２，１３のどれに接続されている機器に対してもインターネットの信号を同じ条件で伝送することができる。
【００２７】
また、ブレーカ１１の配線先の機器から送られてきたＰＬＣ信号は、電圧側電線Ｌ１，Ｌ２を介して接続部２２の二次捲線Ｔ２のＰ１，Ｐ２間に印加される。なお、コンデンサＣ１，Ｃ２により、電源周波数の電流は遮断される。二次捲線Ｔ２に信号が供給されることにより、電磁誘導により、一次捲線Ｔ１にもこの信号が現れ、通信制御部２１に伝達される。通信制御部２１は、この信号をインターネットに転送する。
【００２８】
同様に、ブレーカ１２の配線先の機器から送られてきたＰＬＣ信号は、電圧側電線Ｌ１，接地側電線Ｎを介して接続部２２の二次捲線Ｔ２のＰ１，Ｐ３間に印加される。ブレーカ１３の配線先の機器から送られてきたＰＬＣ信号は、電圧側電線Ｌ２，接地側電線Ｎを介して接続部２２の二次捲線Ｔ２のＰ２，Ｐ３間に印加される。なお、コンデンサＣ１，Ｃ２，Ｃ３により、電源周波数の電流は遮断される。このように、二次捲線Ｔ２に信号が供給されることにより、電磁誘導により、一次捲線Ｔ１にもこの信号が現れ、通信制御部２１に伝達される。通信制御部２１は、この信号をインターネットに転送する。
【００２９】
さらに、ブレーカ１１の配線先の機器から送られてきたＰＬＣ信号が、電圧側電線Ｌ１，Ｌ２を介して接続部２２の二次捲線Ｔ２の端子Ｐ１，Ｐ２間に印加されると、自己誘導により、端子Ｐ１−Ｐ３間および端子Ｐ２−Ｐ３間にも誘導電流が流れる。これにより、２００Ｖの線対Ｌ１−Ｌ２の配線上に送出されたＰＬＣ信号を他の線対Ｌ１−Ｎ，Ｌ２−Ｎの配線上に接続されている機器に対しても転送することができる。
【００３０】
同様に、ブレーカ１２の配線先の機器から送られてきたＰＬＣ信号が、電圧側電線Ｌ１，接地側電線Ｎを介して接続部２２の二次捲線Ｔ２の端子Ｐ１，Ｐ３間に印加されると、自己誘導により、端子Ｐ１−Ｐ２間および端子Ｐ２−Ｐ３間にも誘導電流が流れる。さらに、ブレーカ１３の配線先の機器から送られてきたＰＬＣ信号が、電圧側電線Ｌ２，接地側電線Ｎを介して接続部２２の二次捲線Ｔ２の端子Ｐ２，Ｐ３間に印加されると、自己誘導により、端子Ｐ１−Ｐ２間および端子Ｐ１−Ｐ３間にも誘導電流が流れる。これにより、１００Ｖの線対Ｌ１−Ｎ，Ｌ２−Ｎの配線上に送出されたＰＬＣ信号を他の線対Ｌ１−Ｌ２，Ｌ１−Ｎ，Ｌ２−Ｎの配線上に接続されている機器に対しても転送することができる。
【００３１】
なお、通信制御部２１は、ＰＬＣ信号（パケット）をＷＡＮに転送し、ＷＡＮの信号をＰＬＣに転送するのみでなく、アドレスの書き換えやパケットのカプセル化等のネットワーク通信制御の処理を合わせて実行できるようにしてもよい。
【００３２】
なお、上記実施形態は、単相３線の電力線に適用されるＰＬＣネットワーク機器について説明したが、同様の構成で３相交流の電力線に対しても同様に適用することができる。
【００３３】
図２は、この発明の他の実施形態であるＰＬＣネットワーク機器を示す図である。この図において、図１に示したネットワーク機器と同一構成の部分は同一符号を付して説明を省略する。図２のＰＬＣネットワーク機器２０１が図１のＰＬＣネットワーク機器２０と構成において異なる点は、接続部２２１のトランスＴＲ１の二次捲線がＴ２１とＴ２２に二分割され、これら２つの二次捲線Ｔ２１，Ｔ２２の接続形態を順巻き，逆巻きに切り換えられるようにした点である。
【００３４】
Ｌ２側の二次捲線Ｔ２２の両端の端子Ｐ２（捲き終わり端子）、端子Ｐ３２（捲き始め端子）は、それぞれコンデンサＣ２，Ｃ３を介して電圧側電線Ｌ２，接地側電線Ｎに接続されている。一方、Ｌ１側の二次捲線Ｔ２１の両端の端子Ｐ１（捲き始め端子）、端子Ｐ３１（捲き終わり端子）は切換スイッチＳＷ１に接続されている。
【００３５】
切換スイッチＳＷ１は、Ｐ１をＣ１に接続し、Ｐ３１をＣ３（Ｐ３２）に接続する（順接続）か、Ｐ１をＣ３に接続し、Ｐ３１をＣ１に接続する（逆接続）かを切り換える２極双投（２回路２接点）スイッチである。この切換スイッチＳＷ１の第１の回路のコモン接点はコンデンサＣ１を介して電圧側電線Ｌ１に接続され、第２の回路のコモン接点は二次捲線Ｔ２２の端子Ｐ３２とともにコンデンサＣ３を介して接地側電線Ｎに接続される。第１の回路の上側選択接点および第２の回路の下側選択接点には二次捲線Ｔ２１の端子Ｐ３１が接続され、第１の回路の下側選択接点および第２の回路の上側選択接点には二次捲線Ｔ２１の端子Ｐ１が接続されている。
【００３６】
切換スイッチＳＷ１が、上側に切り換えられると、端子Ｐ１がコンデンサＣ３を介して接地側電線Ｎに接続され（第２の回路）、端子Ｐ３１がコンデンサＣ１を介して電圧側電線Ｌ１に接続される（第１の回路）。このとき、二次捲線Ｔ２１の捲き始め端子Ｐ１が二次捲線Ｔ２２の捲き始め端子Ｐ３２に接続されるため、二次捲線の接続形態は逆接続（クロス接続）となる。図示の状態は、逆接続の状態を示している。
【００３７】
なお、上記切換スイッチＳＷ１の、第１の回路のコモン接点の端子３０１が、請求項３の発明の電力線接続部に対応する。
【００３８】
一方、切換スイッチＳＷ１が、下側に切り換えられると、端子Ｐ１がコンデンサＣ１を介して電圧側電線Ｌ１に接続され（第１の回路）、端子Ｐ３１がコンデンサＣ３を介して接地側電線Ｎに接続される（第２の回路）。このとき、二次捲線Ｔ２１の捲き終わり端子Ｐ３１が二次捲線Ｔ２２の捲き始め端子Ｐ３２に接続されるため、二次捲線の接続形態は直列すなわち順接続（ストレート接続）となる。
【００３９】
順接続の場合には、図１に示したネットワーク機器と同様の構成となる。この順接続の場合に、たとえば線対Ｌ１−Ｌ２間に高周波信号を短絡するコンデンサが挿入されていた場合には、トランスの二次捲線が高周波的に短絡してしまうため、全ての線間の通信が不可能となる。線対Ｌ１−Ｌ２間に挿入される高周波信号を短絡するコンデンサとしては、たとえば、１００Ｖ機器間のＰＬＣ通信、すなわち、線対Ｌ１−Ｎと線対Ｌ２−Ｎ間の通信を確保するためのバイパスコンデンサや、２００Ｖのコンセントに接続されている電気機器から高周波ノイズが電力線に放出されるのを防止するためのバイパスコンデンサ等がある。
【００４０】
そこで、Ｌ１−Ｌ２間が高周波的に短絡している場合には、切換スイッチＳＷ１を図示のように上側（逆接続）に切り換えることにより、Ｌ１→Ｎ間とＬ２→Ｎ間にそれぞれ二次捲線Ｔ２１、Ｔ２２から出力された同相の信号が印加される。これにより、電圧側配線Ｌ１，Ｌ２には接地側配線Ｎから見て同電位の信号が現れるため、Ｌ１−Ｌ２間の短絡は問題にならず、一次捲線Ｔ１側から線対Ｌ１−Ｎ、線対Ｌ２−Ｎへ通信は確保することができる。以上は一次捲線側から二次捲線側へ信号を伝達する場合について説明したが、二次捲線側から一次捲線側へ信号を伝達する場合も同様である。これにより、線対Ｌ１−Ｌ２との通信は放棄するが、一次捲線Ｔ１、二次捲線Ｔ２１（線対Ｌ１−Ｎ）、二次捲線Ｔ２２（線対Ｌ２−Ｎ）相互間の通信を確保することができる。
【００４１】
図３は、この発明のさらに他の実施形態であるＰＬＣネットワーク機器を示す図である。この図において、図１に示したネットワーク機器と同一構成の部分は同一符号を付して説明を省略する。図３のＰＬＣネットワーク機器２０２が図１のＰＬＣネットワーク機器２０と構成において異なる点は、コンデンサＣ１（電圧側電線Ｌ１）に接続される二次捲線Ｔ２の端子が、切換スイッチＳＷ２により、端子Ｐ１または端子Ｐ２に切り換え可能になっている点である。
【００４２】
切換スイッチＳＷ２は、上述のようにコンデンサＣ１に端子Ｐ１を接続するか端子Ｐ２を接続するかを切り換える単極双投（１回路２接点）スイッチである。この切換スイッチＳＷ２のコモン接点はコンデンサＣ１を介して電圧側電線Ｌ１に接続される。上側選択接点には二次捲線Ｔ２の端子Ｐ２が接続され、下側選択接点には二次捲線Ｔ２の端子Ｐ１が接続されている。
【００４３】
切換スイッチＳＷ２が、上側に切り換えられると、端子Ｐ２がコンデンサＣ１を介して電圧側電線Ｌ１に接続される。二次捲線Ｔ２の端子Ｐ２はコンデンサＣ２を介して電圧側電線Ｌ２にも接続されているため、電圧側配線Ｌ１，Ｌ２が高周波的に短絡する短絡接続となる。ただし、このとき二次捲線Ｔ２の端子Ｐ１は、コンデンサＣ１から切り離されて開放状態となるため、二次捲線Ｔ２は短絡していない。図示の状態は、短絡接続の状態を示している。
【００４４】
一方、切換スイッチＳＷ２が、下側に切り換えられると、端子Ｐ１がコンデンサＣ１を介して電圧側電線Ｌ１に接続される。この接続形態（通常接続）は、図１に示した第１の実施形態のネットワーク機器と同様である。このため、通常接続時の動作説明は省略する。
【００４５】
第２の実施形態で述べたＬ１−Ｌ２間の高周波的短絡が発生している場合、この実施形態においても、切換スイッチＳＷ２を上側に切り換えて短絡接続にすることにより、Ｌ１→Ｎ間とＬ２→Ｎ間に、二次捲線の端子Ｐ２−中間タップＰ３間の捲線から出力された同相の信号が印加される。上述したように、二次捲線の端子Ｐ１は開放状態であるため、二次捲線の端子Ｐ１−中間タップＰ３間の捲線は機能しないが、二次捲線Ｔ２全体が短絡することはなく、二次捲線の端子Ｐ２−中間タップＰ３間の捲線には信号が現れる。これにより、電圧側配線Ｌ１，Ｌ２には接地側配線Ｎから見て同電位の信号が現れるため、Ｌ１−Ｌ２間の短絡は問題にならず、一次捲線Ｔ１側から線対Ｌ１−Ｎ、線対Ｌ２−Ｎへ通信は確保することができる。以上は一次捲線側から二次捲線側へ信号を伝達する場合について説明したが、二次捲線側から一次捲線側へ信号を伝達する場合も同様である。これにより、線対Ｌ１−Ｌ２との通信は放棄するが、一次捲線Ｔ１、線対Ｌ１−Ｎ、線対Ｌ２−Ｎ相互間の通信は確保することができる。
【００４６】
この図３の第３実施形態の構成であれば、短絡接続にしたとき、二次捲線Ｔ２の略半分（中間タップＰ３から端子Ｐ２まで）だけが機能し、残りの略半分（端子Ｐ１から中間タップＰ３まで）は開放状態となるが、高周波トランスＴＲの二次捲線が中間タップ付の１捲でよいうえ、切換スイッチＳＷ２が単極双投スイッチでよいため、回路構成が簡略になる。
【００４７】
上記実施形態において、切換スイッチＳＷ１，ＳＷ２の切り換えは、Ｌ１−Ｌ２間の短絡を検出して自動的に行う構成としてもよく、係員が通信状況を判断して手動で行うようにしてもよい。
【００４８】
上記第１〜３の実施形態において、通信制御部２１の接続部２２，２２１，２２２の反対側に接続されるネットワークをＷＡＮ（インターネット）として説明したが、別のＬＡＮネットワークに接続してもよい。
【００４９】
また、この実施形態では、接続部２２，２２１，２２２の一次捲線Ｔ１側に接続される機器として、他のネットワークとの通信制御機能を有する通信制御部２１を示したが、一次捲線Ｔ１側に接続される機器はこれに限定されない。たとえば、宅内の電気機器等を監視するホームモニタや宅内に音楽等のコンテンツを配信するコンテンツサーバを接続してもよい。なお、上記ホームモニタやコンテンツサーバは、電力線Ｌ１，Ｌ２，Ｎに接続された機器と通信する機能を備えていればよく、インターネット等の他のネットワークと通信する機能を必ずしも備えている必要はない。
【００５０】
上記ホームモニタやコンテンツサーバが、他のネットワークと通信する機能を備えている場合、この通信機能を用いて、ホームモニタの警報通知やコンテンツサーバのコンテンツダウンロード等の自装置の動作としての通信と、上に述べた通信制御部２１のような電力線に接続された機器の通信を中継するための通信とを併せて行うようにしてもよい。
【図面の簡単な説明】
【００５１】
【図１】この発明の実施形態であるＰＬＣネットワーク機器が使用される分電盤の構成を示す図
【図２】この発明の第２の実施形態であるＰＬＣネットワーク機器の構成を示す図
【図３】この発明の第３の実施形態であるＰＬＣネットワーク機器の構成を示す図
【図４】一般的な分電盤の構成を示す図
【符号の説明】
【００５２】
２０，２０１，２０２…ＰＬＣネットワーク機器
２１…通信制御部
２１Ａ…ＬＡＮ側端子（第１のネットワーク端子）
２１Ｂ…ＷＡＮ側端子（第２のネットワーク端子）
２２，２２１，２２２…接続部（ブリッジ回路）
Ｌ１，Ｌ２…電圧側電線（電力線）
Ｎ…接地側電線（電力線）
ＴＲ，ＴＲ１…トランス
ＳＷ１，ＳＷ２…切換スイッチ
【図１】
2008245202.tif 000003
【図２】
2008245202.tif 000004
【図３】
2008245202.tif 000005
【図４】
2008245202.tif 000006